【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
媒体を処理する処理部と、
ホストコンピューターから送信されるコマンドを含むデータを受信する第１接続部と、
前記第１接続部で受信された前記データに含まれるコマンドを、前記処理部で実行される第１実行コマンドまたは外部の処理装置で実行される第２実行コマンドに変換する変換部と、
前記変換部で変換された前記第２実行コマンドを含むデータを前記外部の処理装置に送信する第２接続部と、
前記変換部で変換されたコマンドに基づいて、前記処理部で前記第１実行コマンドを実行させる第１動作モード、もしくは前記第２接続部により前記第２実行コマンドを含むデータを前記外部の処理装置に送信させる第２動作モードを切り換える制御部と、
を備えることを特徴とする媒体処理装置。
【請求項２】
前記第１接続部で受信されたデータに含まれるコマンドが、前記外部の処理装置で実行されるコマンドであるか否かを判別する外部装置制御部を備え、
前記変換部は、前記第１接続部で受信された前記データに含まれるコマンドが前記外部の処理装置に対応する前記コマンドであることを前記外部装置制御部が判別したとき、前記第１接続部で受信されたデータに含まれるコマンドを前記第２実行コマンドに変換することを特徴とする請求項１に記載の媒体処理装置。
【請求項３】
前記外部装置制御部が、前記第１接続部で受信された前記データに含まれるコマンドが前記処理部に対応する前記コマンドであると判別したとき、前記変換部は、前記第１接続部で受信された前記データに含まれるコマンドを、前記第１実行コマンドに変換することを特徴とする請求項２に記載の媒体処理装置。
【請求項４】
コマンド含むデータを送信するＰＯＳ端末と、
記録媒体に対して処理を行う処理部、前記ＰＯＳ端末から送信された前記データを受信する第１接続部、前記第１接続部で受信された前記データに含まれるコマンドを前記処理部で実行される第１実行コマンドまたは前記第１実行コマンドと異なる第２実行コマンドに変換する変換部、前記変換部で変換された前記第２実行コマンドを含むデータを送信する第２接続部、及び前記変換部で変換されたコマンドに基づいて前記処理部で前記第１実行コマンドを実行させる第１動作モードもしくは前記第２実行コマンドを含むデータを前記第２接続部から送信させる第２動作モードを切り換える制御部を備えた第１媒体処理装置と、
前記第１媒体処理装置の前記第２接続部に接続され、前記第２接続部から送信された前記第２実行コマンドを含むデータを受信する受信部、及び前記受信部で受信されたデータに基づいて前記第１媒体処理装置の前記処理部と共通の処理を行う媒体処理部を有する第２媒体処理装置と、
を備えることを特徴とするＰＯＳシステム。
【請求項５】
前記第１媒体処理装置は、前記第１接続部で受信されたデータに含まれるコマンドが、前記第２媒体処理装置で実行されるコマンドであるか否かを判別する外部装置制御部を備え、前記変換部は、前記第１接続部で受信された前記データに含まれるコマンドが前記第２媒体処理装置に対応する前記コマンドであることを前記外部装置制御部が判別したとき、前記第１接続部で受信されたデータに含まれるコマンドを前記第２実行コマンドに変換することを特徴とする請求項４に記載のＰＯＳシステム。
【請求項６】
前記外部装置制御部が、前記第１接続部で受信された前記データに含まれるコマンドが前記処理部に対応する前記コマンドであると判別したとき、前記変換部は、前記第１接続部で受信された前記データに含まれるコマンドを、前記第１実行コマンドに変換することを特徴とする請求項５に記載のＰＯＳシステム。
【請求項７】
前記第１媒体処理装置の前記処理部は、レシートを印刷する印刷部であり、
前記第２媒体処理装置の前記媒体処理部は、前記処理部の前記共通の処理としてレシートを印刷することを特徴とする請求項４から６のいずれかに記載のＰＯＳシステム。
【手続補正２】
【補正対象書類名】明細書
【補正対象項目名】０００８
【補正方法】変更
【補正の内容】
【０００８】
また、上記目的を達成するために、本発明のＰＯＳシステムは、コマンド含むデータを送信するＰＯＳ端末と、記録媒体に対して処理を行う処理部、前記ＰＯＳ端末から送信された前記データを受信する第１接続部、前記第１接続部で受信された前記データに含まれるコマンドを前記処理部で実行される第１実行コマンドまたは前記第１実行コマンドと異なる第２実行コマンドに変換する変換部、前記変換部で変換された前記第２実行コマンドを含むデータを送信する第２接続部、及び前記変換部で変換されたコマンドに基づいて前記処理部で前記第１実行コマンドを実行させる第１動作モードもしくは前記第２実行コマンドを含むデータを前記第２接続部から送信させる第２動作モードを切り換える制御部を備えた第１媒体処理装置と、前記第１媒体処理装置の前記第２接続部に接続され、前記第２接続部から送信された前記第２実行コマンドを含むデータを受信する受信部、及び前記受信部で受信されたデータに基づいて前記第１媒体処理装置の前記処理部と共通の処理を行う媒体処理部を有する第２媒体処理装置と、を備えることを特徴とする。
本発明によれば、記録媒体に処理を行う処理部を有する第１媒体処理装置が、ＰＯＳ端末から送信されたコマンドを受信し、受信したコマンドを、処理部が実行する第１実行コマンドまたは第２媒体処理装置が実行する第２実行コマンドに変換する機能を有するので、変換後の第１実行コマンドに基づいて第１媒体処理装置が処理を行い、或いは、第２媒体処理装置が第２実行コマンドを実行する。従って、ＰＯＳ端末が送信するコマンドとは別のコマンドに対応した第１及び第２媒体処理装置であっても、ＰＯＳ端末が送信するコマンドの仕様等を改変することなく、当該ＰＯＳ端末によって制御できる。このため、例えば、ＰＯＳシステムの第１または第２媒体処理装置を置き換えた場合に、既存のＰＯＳ端末の構成をそのまま使用できるという利点がある。
【手続補正３】
【補正対象書類名】明細書
【補正対象項目名】００１０
【補正方法】変更
【補正の内容】
【００１０】
また、本発明は、上記ＰＯＳシステムであって、前記外部装置制御部が、前記第１接続部で受信された前記データに含まれるコマンドが前記処理部に対応する前記コマンドであると判別したとき、前記変換部は、前記第１接続部で受信された前記データに含まれるコマンドを、前記第１実行コマンドに変換することを特徴とする。
また、本発明は、上記ＰＯＳシステムであって、前記第１媒体処理装置の前記処理部は、レシートを印刷する印刷部であり、前記第２媒体処理装置の前記媒体処理部は、前記処理部の前記共通の処理としてレシートを印刷することを特徴とする。
本発明によれば、ＰＯＳ端末が送信するコマンドにより、第１媒体処理装置と第２媒体処理装置によってレシートを印刷させることができる。
【手続補正４】
【補正対象書類名】明細書
【補正対象項目名】００１６
【補正方法】変更
【補正の内容】
【００１６】
ＰＯＳ端末２０は、ＰＯＳ端末２０の各部を制御する制御部２１を備えている。制御部２１は、図示しないＣＰＵ、ＲＡＭ、ＲＯＭ等を備え、記憶部２３に記憶されたプログラムを実行する。制御部２１は、記憶部２３に記憶されたプリンタードライバープログラム２４を実行するプリンタードライバー実行部２２を有する。プリンタードライバー実行部２２は、インターフェイス２７に接続されたプリンターに対し、印刷実行を指示するコマンド、及び、レシートに印刷される印刷データを生成して、送信する。プリンタードライバー実行部２２は、特定のメーカーのプリンターまたは特定の機種に対応したプリンタードライバープログラム２４を実行する。このため、プリンタードライバー実行部２２が生成するコマンド及び印刷データは、特定のメーカーのプリンターまたは特定の機種に対応するコマンド体系のコマンド、及び、印刷データである。また、プリンタードライバープログラム２４は、汎用のプリンタードライバーであってもよい。すなわち、プリンタードライバー実行部２２が生成するコマンド及び印刷データは、複数のメーカーのプリンターまたは複数の機種に対応するコマンド体系のコマンド、及び、印刷データであってもよい。
【手続補正５】
【補正対象書類名】明細書
【補正対象項目名】００２３
【補正方法】変更
【補正の内容】
【００２３】
図２は、ＰＯＳシステム３の機能ブロック図であり、複合機１００の構成を特に詳細に示している。
この図２に示すように、複合機１００は、複合機１００の各部を制御するＣＰＵ等が実装された本体基板１０１と、本体基板１０１とは別に設けられたインターフェイス基板１０３とを有する。インターフェイス基板１０３は、例えば、接離可能なバスライン（図示略）を介して本体基板１０１に接続されていて、複合機１００の本体から着脱可能であってもよい。インターフェイス基板１０３には、第１インターフェイス１１０及び第２インターフェイス１１５が実装され、本体基板１０１には制御部１５０が実装されている。また、本体基板１０１は、複合機１００の本体に設けられたロール紙印刷部１２０、磁気読取部１３０、帳票印刷部１４０、操作パネル１７０、及び切換スイッチ１８０の各部に接続されている。
【手続補正６】
【補正対象書類名】明細書
【補正対象項目名】００４５
【補正方法】変更
【補正の内容】
【００４５】
また、上記実施形態では、媒体を処理する媒体処理装置、及び、外部の処理装置の例として、ロール紙に印刷を行う複合機１００及びプリンター２００を備えた構成を例に挙げて説明したが、本発明はこれに限定されない。例えば、媒体は紙に限定されず合成樹脂製のシートを用いることも可能であり、媒体の表面に加工が施されていてもよい。媒体は所定サイズにカットされたカットシートであってもよいし、スプロケット紙などの連続シートであってもよい。また、例えば、媒体として複写紙を用いる構成としてもよい。さらに、ロール紙印刷部１２０、２２０は、感熱紙に熱を与えて印刷を行うサーマルプリンターに限定されず、インクジェット式、ドットインパクト式等の各種の記録方式を採用できる。また、上述した実施形態では、複合機１００が備える印刷以外の処理部について、磁気読取部１３０及び帳票印刷部１４０を例示したが、本発明はこれに限定されず、別種の媒体に印刷を行う印刷部であってもよいし、小切手等の媒体を光学的に読み取るスキャナーであってもよく、ＩＣカード等により認証を行う処理部であってもよい。
さらに、上記実施形態のＰＯＳシステム３は、ＰＯＳ端末２０に対して複数の機能を有する複合機１００を接続し、複合機１００にプリンター２００を接続した構成とした。本発明はこれに限定されず、例えばＰＯＳ端末２０にプリンター２００を接続し、このプリンター２００に、複合機１００あるいは別のプリンター２００を接続してもよい。
また、上記実施形態においては、ホストコンピューターの一例としてＰＯＳ端末２０を挙げて説明したが、本発明はこれに限定されない。ホストコンピューターとしては、複合機１００等の媒体処理装置に対してコマンドとテキストデータとを送信する機能を備えたものであればよく、一般的なパーソナルコンピューターや、メインフレームコンピューター、サーバー等のコンピューター機器、或いは、携帯型デバイスを用いることができる。さらに、ホストコンピューターの用途はＰＯＳとしての会計処理に限定されず、文書作成処理、画像編集処理等の一般的な用途、或いは、特定の用途に用いられるコンピューターを含むシステムにも本発明を適用できる。
図１及び図２に示す各機能ブロックは、ハードウェアとソフトウェアの協働により任意に実現可能であり、特定のハードウェア構成を示唆するものではない。
また、例えば、複合機１００の制御部１５０が、外部接続される記憶媒体に記憶させたプログラムを実行することにより、制御部１５０の各種機能を実現する構成とすることも可能である。その他の細部構成についても、任意に変更可能であることは勿論である。